(57)【要約】【課題】携帯電話機の日本語・アルファベットの入力は、多くの操作をしなければ文字の入力が出来なかった。【解決手段】複数の操作キーのそれぞれに、日本語の五十音を構成する「各段」の仮名文字「あ、か、さ、た、な・・・」を割り当て、日本語の五十音を構成する「各行」の仮名文字（例えば「か行」であれば、か・き・く・け・こ）を選択出来るキーを割り当て、画面に選択情報を表示することにより、正確で且つ２回の操作で入力が可能となる入力方法。又、アルファベットの入力も同様な方法で入力が可能。尚、大文字「よ」や小文字「ょ」、大文字「Ａ」や小文字「ａ」の切り替えは、「各行」の選択するキーを二回押下することにより変換する。【選択図】図１
2004227535.tif 000002
【特許請求の範囲】
【請求項１】
複数の操作キーのそれぞれに、日本語の五十音を構成する「各段」の仮名文字「あ、か、さ、た、な・・・」を割り当て、日本語の五十音を構成する「各行」の仮名文字（例えば「か行」であれば、か・き・く・け・こ）を従来の複数の操作キーに割り当てるか、又は新たに５つ以上の専用にキーに割り当てることにより、最低２回の操作で入力が可能となる携帯電話機、又は携帯端末機。
【請求項２】
アルファベットの入力も「請求項１」と同様な方法で「各段」には先頭の代表頭文字を割り当て、「各行」には文字を割り当てることにより、２回の操作で入力が可能となる携帯電話機、又は携帯端末機。
【請求項３】
「各行」に対応するキー内容を画面に捕捉表示することにより、正確な入力を可能とする携帯電話機、又は携帯端末機。
【請求項４】
大文字「よ」や小文字「ょ」、大文字「Ａ」や小文字「ａ」の切り替えは、「各行」の選択するキーを二回押下することにより変換する携帯電話機、又は携帯端末機。
【請求項５】
新たに５つ以上の専用に用意したキーは、本機能の「各行」の選択以外での用途（漢字の選択等）でも使用することが可能な携帯電話機、又は携帯端末機。
【発明の詳細な説明】
【０００１】
【発明の属する技術分野】
本発明は、携帯電話機、携帯端末機、および小型のキーボードに関し、特に携帯電話機における日本語及びアルファベット入力の方式に関するものである。
【０００２】
【従来の技術】
従来、携帯電話機において、文字入力方法は「０〜９」のダイヤルキーのそれぞれに五十音の各行が割り当てられていた。例えば、ダイヤルキーの「２」に「かきくけこ」というように、日本語の「か行」が割り当てられ、この「２」キーの押下を繰り返すごとに「か→き→く→け→こ」というようにスクロールして文字が選択されるようになっていた。例えば、「こ」の入力は、ダイヤルキーの「２」を５回押下することにより、「こ」が選択されていた。
【０００３】
【発明が解決しようとする課題】
従来の携帯電話機においては、各キーに五十音の各行が割り当てられていた。このため、所望の仮名文字を入力する場合、例えば、「あ段」や「い段」の仮名文字の入力に際し、キーを１回、または２回の押下により入力できるが、その反面、「え段」や「お段」の仮名文字の入力に際しては、４回、または５回と、より多くの押下回数を必要とし、その操作が頻雑であった。
既存の携帯電話機が有する操作キーの数と補助キーを用いて日本語入力の操作性に優れた入力方法を提供することにより、前述の欠点を解消しようとするものである。
【０００４】
【課題を解決するための手段】
本発明は、複数の操作キーのそれぞれに、日本語の五十音を構成する「各段」の仮名文字「あ、か、さ、た、な・・・」を割り当て、日本語の五十音を構成する「各行」の仮名文字（例えば「か行」であれば、か・き・く・け・こ）を選択するキーを割り当てることにより入力する。
【０００５】
大文字「よ」や小文字「ょ」の切り替えは、「各行」の選択するキーを二回押下することにより変換する。
尚、現在の入力が大文字なら小文字となり、入力が小文字なら大文字となる。もし、入力を誤った場合は訂正キー等で通常入力の状態等に戻すことにより再入力を可能とする。
その後、バッファに記憶された内容を、日本語辞書に基づいて、必要に応じて所定の漢字に変換する。
【０００６】
「各行」の選択時に、日本語の五十音を構成する「各行」の仮名文字が、現在、何処のキーに対応しているかを画面に表示することにより、正確な入力を可能とする。
【０００７】
また、アルファベットの入力も同様に「各段」には先頭の代表頭文字を割り当て、「各行」には文字を割り当てることで実現する。
【０００８】
従来の入力方法との切り替えは、事前の携帯電話の初期設定により入力方法を事前設定する。
【０００９】
【発明の実施の形態】
発明の実施の形態を実施例にもとづき図面を参照して説明する。
図１から図４は、本実施形態に係る携帯電話機の正面図及び実施例である。
携帯電話機の筐体の前面には、ディスプレイ（画面）、「各行」等を選択する選択キー、複数の操作キーにより形成されている。操作キーは、「０〜９」、「＊」、および「＃」のダイヤルキー、各種機能キーを備える。
「各行」等を選択する選択キーは、従来の複数の操作キーに割り当てる方法と、新たに５つ以上の専用のキーを用意する方法がある。
新たに５つ以上の専用に用意したキーは、本機能の「各行」の選択以外での用途（漢字の選択等）でも使用することが可能である。
【００１０】
図１に「各行」等を選択する専用キーを使用しての、ひらがなの「かお」を入力する場合を例に挙げて説明する。
まず「各段」の仮名文字「か」を押下すると、画面に「各行」の仮名文字「か・き・く・け・こ」が表示されるので、「各行」を選択するキーの「か」に対応するキーを押下することにより、「か」が入力される。
同様に「各段」の仮名文字「あ」を押下すると、画面に「各行」の仮名文字「あ・い・う・え・お」が表示されるので、「各行」を選択するキーの「お」に対応するキーを押下することにより、「お」が入力される。
その後、「かお」を漢字変換することにより、漢字の「顔」が入力される。
【００１１】
図２に「各行」の選択に従来の複数操作キーのみを使用しての、ひらがなの「かお」を入力する場合を例に挙げて説明する。
まず「各段」の仮名文字「か」を押下すると、画面に「各行」の仮名文字「か・き・く・け・こ」が表示されるので、「各行」を選択するキーの「あ」キーを押下することにより、「か」の選択となり、「か」が入力される。
同様に「各段」の仮名文字「あ」を押下すると、画面に「各行」の仮名文字「あ・い・う・え・お」が表示されるので、「各行」を選択するキーの「な」キーを押下することにより、「お」の選択となり、「お」が入される。
その後、「かお」を漢字変換することにより、漢字の「顔」が入力される。
【００１２】
図３に「各行」等を選択する専用キーを使用しての、アルファベットの「Ｋｙ」を入力する場合を例に挙げて説明する。
尚、現在入力がアルファベットの大文字入力状態であることを前提とする。
まず「各段」の文字「ＪＫＬ」を押下すると、画面に「各行」の文字「Ｊ・Ｋ・Ｌ」が表示されるので、「各行」を選択するキーの「Ｋ」に対応するキーを押下することにより、「Ｋ」が入力される。
同様に「各段」の文字「ＷＸＹＺ」を押下すると、画面に「各行」の文字「Ｗ・Ｘ・Ｙ・Ｚ」が表示されるので、「各行」を選択するキーの「Ｙ」に対応するキーを二回押下することにより、「ｙ」が入力される。
【００１３】
図４に「各行」の選択に従来の複数操作キーのみを使用しての、アルファベットの「Ｋｙ」を入力する場合を例に挙げて説明する。
尚、現在入力がアルファベットの大文字入力状態であることを前提とする。
まず「各段」の文字「ＪＫＬ」を押下すると、画面に「各行」の文字「Ｊ・Ｋ・Ｌ」が表示されるので、「各行」を選択するキーの「ＡＢＣ」キーを押下することにより、「Ｋ」の選択となり、「Ｋ」が入力される。
同様に「各段」の文字「ＷＸＹＺ」を押下すると、画面に「各行」の文字「Ｗ・Ｘ・Ｙ・Ｚ」が表示されるので、「各行」を選択するキーの「ＤＥＦ」キーを二回押下することにより、「ｙ」の選択となり、「ｙ」が入力される。
【００１４】
【発明の効果】
前述の様に本発明は、小型・軽量という携帯電話機、携帯端末機において、既存の携帯電話機が有する操作キーの数と補助キーを用いることによって２回の操作で入力が可能となり、日本語入力の操作性に優れた入力方法を提供することができる。
【図面の簡単な説明】
【図１】本発明の選択する専用キーを使用しての「ひらがな入力」実施の形態を示す説明図である。
【図２】本発明の従来の複数の操作キーのみによる「ひらがな入力」実施の形態を示す説明図である。
【図３】本発明の選択する専用キーを使用しての「アルファベット入力」実施の形態を示す説明図である。
【図４】本発明の従来の複数の操作キーのみによる「アルファベット入力」実施の形態を示す説明図である。
【符号の説明】
１  携帯電話機
２  ディスプレイ（画面）
３  「各行」等を選択する専用キー
４  複数の操作キー
【図１】
2004227535.tif 000003
【図２】
2004227535.tif 000004
【図３】
2004227535.tif 000005
【図４】
2004227535.tif 000006